【手続補正書】
【提出日】平成16年11月24日(2004.11.24)
【手続補正１】
【補正対象書類名】明細書
【補正対象項目名】特許請求の範囲
【補正方法】変更
【補正の内容】
【特許請求の範囲】
【請求項１】
遊技球が入賞可能な始動入賞口と、
一般入賞領域および特別入賞領域を有すると共に遊技者にとって有利な第１状態と遊技者にとって不利な第２状態とに変換可能な変動入賞装置と、
表示状態が変化可能な表示装置とを備え、
前記始動入賞口への遊技球の入賞に基づき前記変動入賞装置を所定態様で前記第１状態に変換する補助遊技を実行させ、該補助遊技の実行により前記変動入賞装置へ受け入れられた遊技球が前記特別入賞領域へ入賞した場合に前記表示装置に所定の結果情報を表示させ、該結果情報が予め定められた特定結果情報となった場合に前記変動入賞装置を前記補助遊技よりも有利な態様で前記第１状態に変換する特別遊技を実行するようにした遊技機であって、
前記始動入賞口への遊技球の入賞に基づき乱数を抽出する乱数抽出手段と、
前記表示装置を表示制御すると共に、前記乱数抽出手段による乱数の抽出結果に基づいて前記結果情報を導出表示させる表示制御手段と、
を備え、
前記表示制御手段は、前記乱数抽出手段による乱数の抽出結果に基づく結果情報に関連した演出情報を、前記補助遊技の実行により遊技球が前記特別入賞領域へ入賞するか否かが決定する前に前記表示装置に表示させるようにしたことを特徴とする遊技機。
【請求項２】
前記表示制御手段は、前記補助遊技の実行により前記変動入賞装置へ遊技球が受け入れられたことに基づいて前記演出情報を前記表示装置に表示させるようにしたことを特徴とする請求項１に記載の遊技機。
【請求項３】
前記始動入賞口への遊技球の入賞に基づく前記乱数抽出手段による乱数の抽出結果が、前記特定結果情報を表示させ得る特定抽出結果となったにもかかわらず、当該始動入賞口への遊技球の入賞に対応する補助遊技の入賞結果が前記特別入賞領域への入賞とならなかった場合には、当該特定抽出結果をその後の補助遊技の実行により遊技球が該特別入賞領域へ入賞するまで記憶保持する記憶保持手段を備えたことを特徴とする請求項１または請求項２に記載の遊技機。
【請求項４】
前記表示制御手段は、前記乱数抽出手段による前記特定抽出結果が前記記憶保持手段に記憶保持されているにもかかわらず、その後所定回数補助遊技が実行されても特別遊技が発生しない場合には、前記特定抽出結果が抽出されていることを報知可能な特定演出情報を優先的に表示させるようにしたことを特徴とする請求項３に記載の遊技機。
【請求項５】
前記特別遊技は、所定のサイクル遊技単位で実行可能であると共にサイクル遊技の実行により前記変動入賞装置へ受け入れられた遊技球が前記特別入賞領域へ入賞した場合に前記表示装置に所定のサイクル結果情報を表示させ、該サイクル結果情報が予め定められた特定サイクル結果情報となった場合に次回のサイクル遊技に継続するものとし、
該サイクル遊技の実行により前記変動入賞装置に受け入れられた遊技球が前記特別入賞領域へ入賞した場合に乱数を抽出する継続乱数抽出手段を備え、
前記表示制御手段は、前記継続乱数抽出手段による抽出結果に基づいて前記サイクル結果情報を導出表示させるようにしたことを特徴とする請求項１〜請求項４のいずれかに記載の遊技機。
【手続補正２】
【補正対象書類名】明細書
【補正対象項目名】０００８
【補正方法】変更
【補正の内容】
【０００８】
【課題を解決するための手段】
前記課題を解決するため、
請求項１記載の発明は、遊技球が入賞可能な始動入賞口と、
一般入賞領域および特別入賞領域を有すると共に遊技者にとって有利な第１状態と遊技者にとって不利な第２状態とに変換可能な変動入賞装置と、
表示状態が変化可能な表示装置とを備え、
前記始動入賞口への遊技球の入賞に基づき前記変動入賞装置を所定態様で前記第１状態に変換する補助遊技を実行させ、該補助遊技の実行により前記変動入賞装置へ受け入れられた遊技球が前記特別入賞領域へ入賞した場合に前記表示装置に所定の結果情報を表示させ、該結果情報が予め定められた特定結果情報となった場合に前記変動入賞装置を前記補助遊技よりも有利な態様で前記第１状態に変換する特別遊技を実行するようにした遊技機であって、
前記始動入賞口への遊技球の入賞に基づき乱数を抽出する乱数抽出手段と、
前記表示装置を表示制御すると共に、前記乱数抽出手段による乱数の抽出結果に基づいて前記結果情報を導出表示させる表示制御手段と、
を備え、
前記表示制御手段は、前記乱数抽出手段による乱数の抽出結果に基づく結果情報に関連した演出情報を、前記補助遊技の実行により遊技球が前記特別入賞領域へ入賞するか否かが決定する前に前記表示装置に表示させるようにしたことを特徴としている。
【手続補正３】
【補正対象書類名】明細書
【補正対象項目名】０００９
【補正方法】変更
【補正の内容】
【０００９】
ここで、遊技機には、パチンコ遊技機、アレンジボール遊技機、雀球遊技機などが含まれる。
変動入賞装置は、装置内部に遊技球を受け入れ可能若しくは受け入れ容易な状態（遊技者にとって有利な第１状態）と、装置内部に遊技球を受け入れ不可能若しくは受け入れ困難な状態（遊技者にとって不利な第２状態）とに変換するために開閉動作を行う可動部材（所謂羽根部材）を有しており、また、内部に一般入賞領域及び特別入賞領域を有している。
なお、一般入賞領域とは、遊技球が入賞することにより他の一般入賞口と同様の効果が得られる（賞球が排出される等）領域である。
また、特別入賞領域とは、遊技球が入賞することにより特別な効果が得られる（ここでは特別遊技を実行するか否かの結果情報を表示させる）領域である。
始動入賞口は、ここへの遊技球の入賞により変動入賞装置を開放動作させるもので、一般的には、１回開閉させる第１始動入賞口と２回開閉させる第２始動入賞口とがある。なお、第２始動入賞口には普通電動役物である所謂電チューが設けられる場合もある。
表示装置としては、液晶表示装置、ＣＲＴ（陰極線管）表示装置、多数の発光素子を配列した表示装置、回転ドラムを使用したメカ式の表示装置などが挙げられ、結果情報が表示できる装置であれば良い。
結果情報としては、文字、記号、数字、図柄を始めとする適宜の情報を用いればよい。
「結果情報が予め定められた特定結果情報」となるとは、例えば複数の数値の中から一の数値を表示する表示装置の結果情報が、予め定められた特定の数値、例えば「７」となること等をいう。
また、演出情報としては、例えば、当該補助遊技において遊技球が変動入賞装置の特別入賞領域に入賞した場合に結果情報が特定結果情報となる（すなわち、特別遊技が実行される）可能性を示す表示を行うこと等が挙げられる。結果情報が特定結果情報となる可能性を示す表示としては、例えば、数値で確率を表示する他、キャラクタを出現させたり、図柄の色、背景等を異ならせたりすることなどが挙げられる。
【手続補正４】
【補正対象書類名】明細書
【補正対象項目名】００１０
【補正方法】変更
【補正の内容】
【００１０】
請求項１記載の発明によれば、乱数抽出手段が、始動入賞口への遊技球の入賞時、即ち、補助遊技が実行される前に乱数を抽出するとともに、表示制御手段が、その乱数抽出手段による乱数の抽出結果に基づいて特別遊技を発生させるか否かに関わる表示装置の結果情報を導出表示させるようにしたので、補助遊技が実行されている間（遊技球が特別入賞領域へ入賞する前）に表示装置の結果情報に関わる表示制御等が可能となり、遊技の迅速な進行を妨げることなく、補助遊技の実行中に表示装置の結果情報に対応した信頼性の高い表示を行うことが可能となり遊技者の期待感を確実に高めることが可能となる。
さらに、前記表示制御手段は、前記乱数抽出手段による乱数の抽出結果に基づく結果情報に関連した演出情報を、前記補助遊技の実行により遊技球が前記特別入賞領域へ入賞するか否かが決定する前に前記表示装置に表示させるようにしたので、遊技球が特別入賞領域へ入賞するか否かが決定する前の段階から、表示装置での結果情報に関連した信頼性の高い効果的な演出を行うことができるようになるし、より効果的な時間の長い演出を行う場合でも、特別入賞領域へ遊技球が入賞してから長い時間をかける必要がなく、その入賞前に十分な時間を確保することができ、遊技の迅速な進行を妨げることはない。
【手続補正５】
【補正対象書類名】明細書
【補正対象項目名】００１１
【補正方法】変更
【補正の内容】
【００１１】
請求項２記載の発明は、請求項１記載の遊技機において、前記表示制御手段は、前記補助遊技の実行により前記変動入賞装置へ遊技球が受け入れられたことに基づいて前記演出情報を前記表示装置に表示させるようにしたことを特徴としている。
【手続補正６】
【補正対象書類名】明細書
【補正対象項目名】００１２
【補正方法】変更
【補正の内容】
【００１２】
なお、前記表示装置に前記結果情報として停止結果情報を導出表示させるための複数の図柄による変動表示ゲームを表示して、該変動表示ゲームの停止結果態様が予め定められた特定停止結果情報となった場合に前記特別遊技を実行するようにしてもよい。
ここで、変動表示ゲームとは、例えば、複数の図柄から構成される図柄列を、表示装置に形成された変動表示領域で上から下に図柄が移動するように変動表示させることで行われ、所定の条件が成立することにより、変動表示領域の変動表示を停止させて所定の図柄を停止表示することで結果情報として停止結果情報を導出するもの等が挙げられる。
「変動表示ゲームの停止結果情報が予め定められた特定停止結果情報となった場合」とは、例えば、図柄が「７」などの予め定められた特定の状態で停止することである。
【手続補正７】
【補正対象書類名】明細書
【補正対象項目名】００１３
【補正方法】変更
【補正の内容】
【００１３】
この請求項２記載の発明によれば、前記表示制御手段は、前記補助遊技の実行により前記変動入賞装置へ遊技球が受け入れられたことに基づいて前記演出情報を前記表示装置に表示させるようにしたので、変動入賞装置が第１状態に変換して遊技球が受け入れられた場合にのみ演出表示が行われるので、変動入賞装置に遊技球が受け入れられなかったのに演出表示が行われるような、無駄なことを防止できる。
【手続補正８】
【補正対象書類名】明細書
【補正対象項目名】００１４
【補正方法】変更
【補正の内容】
【００１４】
請求項３記載の発明は、請求項１又は２記載の遊技機において、前記始動入賞口への遊技球の入賞に基づく前記乱数抽出手段による乱数の抽出結果が、前記特定結果情報を表示させ得る特定抽出結果となったにもかかわらず、当該始動入賞口への遊技球の入賞に対応する補助遊技の入賞結果が前記特別入賞領域への入賞とならなかった場合には、当該特定抽出結果をその後の補助遊技の実行により遊技球が該特別入賞領域へ入賞するまで記憶保持する記憶保持手段を備えたことを特徴としている。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
この請求項３記載の発明によれば、前記始動入賞口への遊技球の入賞に基づく前記乱数抽出手段による乱数の抽出結果が、前記特定結果情報を表示させ得る特定抽出結果となったにもかかわらず、当該始動入賞口への遊技球の入賞に対応する補助遊技の入賞結果が前記特別入賞領域への入賞とならなかった場合には、当該特定抽出結果をその後の補助遊技の実行により遊技球が該特別入賞領域へ入賞するまで記憶保持する記憶保持手段を備えたので、始動入賞口への入賞時の乱数の抽出結果が特定抽出結果となったのに、その始動入賞に対する補助遊技の入賞結果が特別入賞領域への遊技球の入賞とならなくても、その特定抽出結果は、その後の補助遊技の実行まで記憶保持され、乱数の抽出結果を特別遊技の発生に確実に反映させることができる。
【手続補正１１】
【補正対象書類名】明細書
【補正対象項目名】００１７
【補正方法】変更
【補正の内容】
【００１７】
請求項４記載の発明は、請求項３記載の遊技機において、前記表示制御手段は、前記乱数抽出手段による前記特定抽出結果が前記記憶保持手段に記憶保持されているにもかかわらず、その後所定回数補助遊技が実行されても特別遊技が発生しない場合には、前記特定抽出結果が抽出されていることを報知可能な特定演出情報を優先的に表示させるようにしたことを特徴としている。
【手続補正１２】
【補正対象書類名】明細書
【補正対象項目名】００１８
【補正方法】変更
【補正の内容】
【００１８】
この請求項４記載の発明によれば、前記表示制御手段は、前記乱数抽出手段による前記特定抽出結果が前記記憶保持手段に記憶保持されているにもかかわらず、その後所定回数補助遊技が実行されても特別遊技が発生しない場合には、前記特定抽出結果が抽出されていることを報知可能な特定演出情報を優先的に表示させるようにしたので、特定抽出結果が記憶保持されている状態のまま遊技者が当該遊技機での遊技をやめてしまうことを防止できる。
【手続補正１３】
【補正対象書類名】明細書
【補正対象項目名】００７０
【補正方法】変更
【補正の内容】
【００７０】
【発明の効果】
請求項１記載の発明に係る遊技機によれば、乱数抽出手段が、始動入賞口への遊技球の入賞時、即ち、補助遊技が実行される前に乱数を抽出するとともに、表示制御手段が、その乱数抽出手段による乱数の抽出結果に基づいて特別遊技を発生させるか否かに関わる表示装置の結果情報を導出表示させるようにしたので、補助遊技が実行されている間（遊技球が特別入賞領域へ入賞する前）に表示装置の結果情報に関わる表示制御等が可能となり、遊技の迅速な進行を妨げることなく、補助遊技の実行中に表示装置の結果情報に対応した信頼性の高い表示を行うことが可能となり遊技者の期待感を確実に高めることが可能となる。
さらに、前記表示制御手段は、前記乱数抽出手段による乱数の抽出結果に基づく結果情報に関連した演出情報を、前記補助遊技の実行により遊技球が前記特別入賞領域へ入賞するか否かが決定する前に前記表示装置に表示させるようにしたので、遊技球が特別入賞領域へ入賞するか否かが決定する前の段階から、表示装置での結果情報に関連した信頼性の高い効果的な演出を行うことができるようになるし、より効果的な時間の長い演出を行う場合でも、特別入賞領域へ遊技球が入賞してから長い時間をかける必要がなく、その入賞前に十分な時間を確保することができ、遊技の迅速な進行を妨げることはない。
【手続補正１４】
【補正対象書類名】明細書
【補正対象項目名】００７１
【補正方法】変更
【補正の内容】
【００７１】
請求項２記載の発明に係る遊技機によれば、前記表示制御手段は、前記補助遊技の実行により前記変動入賞装置へ遊技球が受け入れられたことに基づいて前記演出情報を前記表示装置に表示させるようにしたので、変動入賞装置が第１状態に変換して遊技球が受け入れられた場合にのみ演出表示が行われるので、変動入賞装置に遊技球が受け入れられなかったのに演出表示が行われるような、無駄なことを防止できる。
【手続補正１５】
【補正対象書類名】明細書
【補正対象項目名】００７２
【補正方法】変更
【補正の内容】
【００７２】
請求項３記載の発明に係る遊技機によれば、前記始動入賞口への遊技球の入賞に基づく前記乱数抽出手段による乱数の抽出結果が、前記特定結果情報を表示させ得る特定抽出結果となったにもかかわらず、当該始動入賞口への遊技球の入賞に対応する補助遊技の入賞結果が前記特別入賞領域への入賞とならなかった場合には、当該特定抽出結果をその後の補助遊技の実行により遊技球が該特別入賞領域へ入賞するまで記憶保持する記憶保持手段を備えたので、始動入賞口への入賞時の乱数の抽出結果が特定抽出結果となったのに、その始動入賞に対する補助遊技の入賞結果が特別入賞領域への遊技球の入賞とならなくても、その特定抽出結果は、その後の補助遊技の実行まで記憶保持され、乱数の抽出結果を特別遊技の発生に確実に反映させることができる。
【手続補正１６】
【補正対象書類名】明細書
【補正対象項目名】００７３
【補正方法】変更
【補正の内容】
【００７３】
請求項４記載の発明に係る遊技機によれば、前記表示制御手段は、前記乱数抽出手段による前記特定抽出結果が前記記憶保持手段に記憶保持されているにもかかわらず、その後所定回数補助遊技が実行されても特別遊技が発生しない場合には、前記特定抽出結果が抽出されていることを報知可能な特定演出情報を優先的に表示させるようにしたので、特定抽出結果が記憶保持されている状態のまま遊技者が当該遊技機での遊技をやめてしまうことを防止できる。